(57)【要約】【課題】振り分けの確実性を高めると共に、被計量物の傷みが小さくなる計量装置を提供する。【解決手段】第１の方向Ｄ１に回転して開く第１ゲート１１と第２の方向Ｄ２に回転して開く第２ゲート１２とが選択的に回転して被計量物Ｍを２方向Ｄ１，Ｄ２に振り分けるホッパ１０と、第２ゲート１２が開いた際にホッパ１０からの被計量物Ｍが滑落する第１シュート面を持つ第１受け部３１と、第１ゲートが開いた際に前記ホッパからの被計量物が滑落する第２シュート面２２ａを持つ第２受け部３２とを備える。第１ゲート１１は第２ゲート１２よりも下方に向って突出しており、第２シュート面２２ａは第１シュート面２１ａよりも上方に向って突出し、かつ、第１シュート面２１ａの上方において、第１シュート面２１ａの上端２２ｅよりも第２の方向Ｄ２に向って突出している。【選択図】図２
2007303846.tif 000002
【特許請求の範囲】
【請求項１】
第１傾斜面を有し第１の方向に回転して開く第１ゲートの前記第１傾斜面の下部に、第２傾斜面を有し第２の方向に回転して開く第２ゲートの下端が当接し、前記両ゲートが選択的に回転して被計量物を２方向に振り分けて排出するホッパと、
前記第２ゲートが開いた際に前記ホッパからの被計量物が滑落する第１シュート面を持つ第１受け部と、
前記第１ゲートが開いた際に前記ホッパからの被計量物が滑落する第２シュート面を持つ第２受け部とを備えた計量装置であって、
前記第１ゲートは前記第２ゲートよりも下方に向って突出しており、
前記第２シュート面は前記第１シュート面よりも上方に向って突出し、かつ、前記第１シュート面の上方において、前記第１シュート面の上端よりも前記第２の方向に向って突出している計量装置。
【請求項２】
請求項１において、前記第１受け部の第１シュート面の上端が、前記第１ゲートの第１傾斜面の下端よりも前記第１の方向に突出しており、
前記第２受け部の第２シュート面の上端が、前記第２ゲートの第２傾斜面の下端よりも前記第２の方向に突出している計量装置。
【請求項３】
請求項１もしくは２において、前記計量装置は、複数の計量ホッパで計量した被計量物を組み合わせて一まとめにする組合せ計量装置である計量装置。
【請求項４】
請求項３において、前記被計量物を組み合せて一まとめにするための集合シュートと、前記集合シュートからの被計量物を一時的に貯留して所定の排出タイミングで下方の一対の前記受け部に排出するタイミングホッパとを更に備え、
前記タイミングホッパに前記第１および第２ゲートが設けられている計量装置。
【発明の詳細な説明】
【技術分野】
【０００１】
本発明は、振り分け機能を有するホッパを備えた計量装置に関するものである。
【背景技術】
【０００２】
振り分け機能を有するホッパでは、一対のゲートの下端部が櫛歯状で互いに歯合する構造を持つ場合が多い。しかし、かかる櫛歯状の下端部には、粘着性ないし付着性のある被計量物が咬み込み易い。
そこで、従来より、一対のゲートの当接部に対し、下方の受け部の境界をオフセットした装置が知られている（特許文献１）。
【特許文献１】実公平６−３２５８５号（実開平２−２４３３４号，第３図）
【発明の開示】
【発明が解決しようとする課題】
【０００３】
しかし、オフセット可能な寸法は、ゲートの傾斜角度から制約されるので、今一つ確実に振り分けることができない。しかも、この先行技術では、一方のゲートの下端が他方のゲートの下端よりも上方に配置される。そのため、他方のゲートから落下する際には、自由落下する距離が大きくなるので、振り分けの確実性が低下し、かつ、被計量物が傷む原因となる。
【０００４】
したがって、本発明の目的は、振り分けの確実性を高めると共に、被計量物の傷みが小さくなる計量装置を提供することである。
【課題を解決するための手段】
【０００５】
前記目的を達成するために、本発明の計量装置は、第１傾斜面を有し第１の方向に回転して開く第１ゲートの前記第１傾斜面の下部に、第２傾斜面を有し第２の方向に回転して開く第２ゲートの下端が当接し、前記両ゲートが選択的に回転して被計量物を２方向に振り分けて排出するホッパと、前記第２ゲートが開いた際に前記ホッパからの被計量物が滑落する第１シュート面を持つ第１受け部と、前記第１ゲートが開いた際に前記ホッパからの被計量物が滑落する第２シュート面を持つ第２受け部とを備えた計量装置であって、前記第１ゲートは前記第２ゲートよりも下方に向って突出しており、前記第２シュート面は前記第１シュート面よりも上方に向って突出し、かつ、前記第１シュート面の上方において、前記第１シュート面の上端よりも前記第２の方向に向って突出している。
【発明の効果】
【０００６】
第２ゲートが開くと、ホッパ内の被計量物が長い第１ゲートから第１受け部の第１シュートに向って滑落する。この際、第１ゲートは第２ゲートよりも下方に向って突出しているので、第１ゲートからの被計量物は第１受け部に向って確実に排出される。
一方、第１ゲートが開くと、ホッパ内の被計量物が短い第２ゲートから第２受け部の第２シュート面に向って滑落する。この際、短い第２ゲートの被計量物は、上方および第２方向に向って突出した第２シュート面に受け取られるので、被計量物を確実に受け取ることができる。
したがって、被計量物を２つの受け部に確実に振り分けることができると共に、自由落下する距離が小さくなって被計量物の傷みが少なくなる。
【発明を実施するための最良の形態】
【０００７】
本発明において、前記第１受け部の第１シュート面の上端が、前記第１ゲートの第１傾斜面の下端よりも前記第１の方向に突出しており、前記第２受け部の第２シュート面の上端が、前記第２ゲートの第２傾斜面の下端よりも前記第２の方向に突出しているのが好ましい。
【０００８】
このように構成されることで、第１傾斜面と第１シュート面とは、上方から見て互いにラップしており、かつ、第２傾斜面と第２シュート面とは上方から見て互いにラップしているので、上方の各傾斜面から滑落した被計量物が下方のシュート面に確実に振り分けられる。
【０００９】
本発明の計量装置は、複数の計量ホッパで計量した被計量物を組み合わせて一まとめにする組合せ計量装置としてもよい。
【００１０】
かかる組合せ計量装置においては、前記被計量物を組み合せて一まとめにするための集合シュートと、前記集合シュートからの被計量物を一時的に貯留して所定の排出タイミングで下方の一対の前記受け部に排出するタイミングホッパとを更に備え、前記タイミングホッパに前記第１および第２ゲートが設けられている。
タイミングホッパの下方の受け部は、清掃時に取り外す必要がないので、オーバーラップしていても取り外し時に面倒となるおそれがない。
【実施例１】
【００１１】
以下、本発明の一実施形態の組合せ計量装置について説明する。
先ず組合せ計量装置の一般的な機能および動作について説明する。
図１に示すように、搬送コンベア１００は、被計量物である品物Ｍを組合せ計量装置１の分散フィーダ２の中央部に落下させる。なお、品物Ｍは数個ないし多数個が集められた後に、後述するように包装機３２により袋詰めされて商品になる。
【００１２】
前記分散フィータ２および各供給トラフ３ｉはそれぞれ加振装置の駆動により振動することで、分散フィーダ２上の品物Ｍを、各供給トラフ３ｉの下流に設けられた多数のプールホッパ４ｉに供給する。これら各プールホッパ４ｉには、ゲート５ｉが設けられ、前記各供給トラフ３ｉから供給されて受け取った品物Ｍを一時的に収容して貯留する。
【００１３】
前記各プールホッパ４ｉの下流には多数の計量ホッパ６ｉが設けられている。これら各計量ホッパ６ｉには、前記プールホッパ４ｉから該計量ホッパ６ｉに投入された品物Ｍの重量を検出する重量検出器７ｉを備えた計量ヘッダおよびゲート８ｉが設けられている。ゲート８ｉの下方には大きな集合シュート９が設けられている。組合せ計量装置は前記重量検出器７ｉで検出された品物Ｍを一まとめにして目標値もしくは目標値に近い値とし、品物Ｍを下流に落下させる。
【００１４】
前記集合シュート９の下方には、タイミングホッパ１０が配置され、該タイミングホッパ１０の下方には第１振分シュート（第１受け部の一例）２１および第２振分シュート（第２受け部の一例）２２が配置されている。前記第２振分シュート２２の下方には、正量排出された品物Ｍを包装する包装機３２が配置されている。一方、前記第１振分シュート２１の下方には不良排出された品物Ｍを受け取る品物回収部３１が配置されている。
【００１５】
正量排出の場合には、つまり、前記各重量検出器７ｉの検出値に基づいて各計量ホッパ６ｉ内の品物Ｍが組み合わされ一まとめにされて排出される場合には、当該組合せに参加した計量ホッパ６ｉ内の品物Ｍが、集合シュート９、タイミングホッパ１０および第２振分シュート２２を介して包装機３２に排出され、品物Ｍが包装機３２によって包装される。
【００１６】
一方、計量ホッパ６ｉ内の品物Ｍが所定の重量を上回る場合などには、組合せに参加できないので、計量ホッパ６ｉから当該品物Ｍを排出し、集合シュート９、タイミングホッパ１０および第１振分シュート２１を介して品物回収部３１に品物を排出する不良排出が行われる。
【００１７】
図２に示すように、前記タイミングホッパ１０は、筒状のホッパ本体１３と第１および第２ゲート１１，１２を備えている。前記第１および第２ゲート１１，１２は、それぞれ、回転中心１１ｃ，１２ｃを中心に前記ホッパ本体１３に対して第１および第２の方向Ｄ１，Ｄ２に回転して開くように取り付けられている。
【００１８】
前記第１および第２ゲート１１，１２は、それぞれ、第１および第２傾斜面１１ａ，１２ａを有する。前記第１傾斜面１１ａは第１振分シュート２１に品物Ｍを滑落させる。一方、第２傾斜面１２ａは第２振分シュート２２に品物Ｍを滑落させる。すなわち、両ゲート１１，１２は選択的に回転して品物Ｍを第１振分シュート２１と第２振分シュート２２の２方向に振り分ける。
【００１９】
前記第１振分シュート２１は、前記第２ゲート１２が開いた際に前記タイミングホッパ１０からの品物Ｍが滑落する第１シュート面２１ａを持ち、下方の品物回収部３１に品物Ｍを滑落させる。
前記第２振分シュート２２は、前記第１ゲート１１が開いた際に前記タイミングホッパ１０からの品物Ｍが滑落する第２シュート面２２ａを持ち、下方の包装機３２に品物Ｍを滑落させる。
【００２０】
前記第２シュート面２２ａは前記第１シュート面２１ａよりも上方に向かって突出し、かつ、前記第１シュート面２１ａの上方において、前記第１シュート面２１ａの上端２１ｅよりも前記第２の方向Ｄ２に向かってΔＲだけ突出している。つまり、ΔＲだけ第１シュート面２１ａと第２シュート面２２ａとがラップしている。
【００２１】
前記第１シュート面２１ａの上端２１ｅは、前記第１ゲート１１の第１傾斜面１１ａの下端１１ｅよりも前記第１の方向Ｄ１に突出している。また、前記第２シュート面２２ａの上端２２ｅは、前記第２ゲート１２の第２傾斜面１２ａの下端１２ｅよりも前記第２の方向Ｄ２に突出し、かつ、第１ゲート１１の下端１１ｅに対しては第１の方向Ｄ１側に配置されている。
【００２２】
このように構成されることで、第１傾斜面１１ａと第１シュート面２１ａとは、上方から見て互いにラップしており、かつ、第２傾斜面１２ａと第２シュート面２２ａとは上方から見て互いにラップしているので、上方の各傾斜面１１ａ，１２ａから滑落した品物Ｍが下方のシュート面２１ａ，２２ａに確実に振り分けられる。
【００２３】
つぎに、本タイミングホッパ１０の振分動作について説明する。
【００２４】
正量排出の場合には、図３（ａ）のように、第１ゲート１１が開くと、タイミングホッパ１０内の品物Ｍが短い第２ゲート１２の傾斜面１２ａから第２振分シュート２２の第２シュート面２２ａに向って滑落する。この際、短い第２ゲート１２の品物Ｍは、上方および第２方向Ｄ２に向って突出した第２シュート面２２ａに受け取られるので、品物Ｍを確実に受け取ることができる。
【００２５】
不良排出の場合には、図３（ｂ）のように、第２ゲート１２が開くと、タイミングホッパ１０内の品物Ｍが長い第１ゲート１１の傾斜面１１ａから第１振分シュート２１の第１シュート面２１ａに向って滑落する。この際、第１ゲート１１は第２ゲート１２よりも下方に向って突出しているので、第１ゲート１１からの品物Ｍは第１振分シュート２１に向って確実に排出される。
【００２６】
したがって、被計量物を２つの振分シュート２１，２２に確実に振り分けることができる。
【００２７】
更に、前述のように、図３（ｂ）の第１ゲート１１の下端１１ｅが下方に突出していることで、下端１１ｅから上端２１ｅまでの高さΔＨ１が小さくなる。そのため、第１ゲート１１の第１傾斜面１１ａから第１振分シュート２１の第１シュート面２１ａに品物Ｍが自由落下する距離が小さくなる。
【００２８】
一方、図３（ａ）の第２振分シュート２２の上端２２ｅが上方に突出していることで、下端１２ｅから上端２２ｅまでの高さΔＨ２も小さくなる。そのため、第２ゲート１２の傾斜面１２ａから第２振分シュート２２の第２シュート面２２ａに品物Ｍが自由落下する距離が小さくなる。
【００２９】
このように、品物Ｍが各傾斜面１１ａ，１２ａから各シュート面２１ａ，２２ａに自由落下する距離が小さくなるので品物Ｍの傷みが少なくなる。
【００３０】
ところで、前記実施例では、ホッパからシュートに振り分ける例を用いて説明したが、本発明は１つの計量ホッパから２つのブースタホッパに振り分ける場合など、上方のホッパから下方のホッパに振り分ける場合についても適用される。
【００３１】
なお、タイミングホッパ１０の下方の第１および第２振分シュート２１，２２は、清掃時に取り外す必要がないので、オーバーラップしていても取り外し時に面倒となるおそれがない。
【００３２】
ところで、各重量検出器７ｉなどの計量機器については、一般に、スパン調整を行う必要がある。この場合、定められたスパン調整用の分銅（おもり）を使用してスパン調整を行っている。この際、誤った分銅（おもり）を使用してスパン調整を行うと、大きく外れている場合には「スパンエラー」となる。しかし、少ししか外れていない場合には「スパンエラー」とならずに調整が終了してしまうことがあった。この場合、当然、スパンがずれることになり、正確な計量は約束できない。
【００３３】
そこで、各スパン調整用の分銅ごとにＩＤタグを貼付すると共に、各計量機器にスパン調整分銅のＩＤを登録しておき、スパン調整時にＩＤ読み取り装置にてスパン分銅ＩＤを読み取り、登録されているＩＤと異なれば、スパン調整を中止する。
【００３４】
これにより、誤ったスパン調整用分銅（おもり）を使用してのスパン調整を禁止することができる。特に、複数個のスパン調整用分銅を使用する場合に載置部への載せ忘れ防止に有効である。
【産業上の利用可能性】
【００３５】
本発明はホッパを備えた計量装置に適用することができる。
【図面の簡単な説明】
【００３６】
【図１】本発明の一実施例を示す組合せ計量装置の概略構成図である。
【図２】振分装置を示す概略構成図である。
【図３】振分装置の動作を示す概略側面図である。
【符号の説明】
【００３７】
１０：タイミングホッパ
１１：第１ゲート
１１ａ：第１傾斜面
１１ｅ：下端
１２：第２ゲート
１２ａ：第２傾斜面
１２ｅ：下端
２１：第１振分シュート
２１ａ：シュート面
２１ｅ：上端
２２：第２振分シュート
２２ａ：シュート面
２２ｅ：上端
Ｍ：品物
【図１】
2007303846.tif 000003
【図２】
2007303846.tif 000004
【図３】
2007303846.tif 000005